(57)【要約】  緩衝材（１）は、第一筒構造（３）と第二筒構造（４）とを備える。第一筒構造（３）は、その内部に、収納空間（３１）と、収納空間（３１）に隣り合う隣接空間（３２Ａ）とを有する。第一筒構造（３）は、第二筒構造（４）と向かい合う部分を有する第一壁（３３）と、収納空間（３１）の入口となる開口（３４１）が形成された第二壁（３４）と、収納空間（３１）と隣接空間（３２Ａ）との間にあり、折り曲げ線（６１）によって開口（３４１）の縁部に接続された隔壁（３５Ａ）とを有する。第一壁（３３）は、隣接空間（３２Ａ）から第一筒構造（３）の外側へ貫通した貫通穴（３３２Ａ）を有する。第二筒構造（４）を形成する壁から第二筒構造（４）の外側へ延びた延長部（４５Ａ）が貫通穴（３３２Ａ）を通って隣接空間（３２Ａ）に入っている。隔壁（３５Ａ）が延長部（４５Ａ）に接触可能である。
2020095391.tif 000002
【特許請求の範囲】
【請求項１】
包装される物品への衝撃を緩和する緩衝材であって、
外壁と、
前記外壁に接続され、前記外壁に平行な第一方向を軸方向とする第一筒構造と、
前記外壁に接続され、前記第一方向を軸方向とし、前記第一筒構造に隣り合う第二筒構造と、
を備え、
前記第一筒構造は、多角形の横断面形状を有し、
前記第二筒構造は、多角形の横断面形状を有し、
前記第一筒構造は、前記外壁から、前記外壁に垂直な第二方向へ、第一長さだけ突出し、
前記第二筒構造は、前記外壁から、前記第一長さよりも短い第二長さだけ前記第二方向へ突出し、
前記第一筒構造は、その内部に、収納空間と、前記第一方向において前記収納空間に隣り合う隣接空間とを有し、
前記第一筒構造は、前記第二筒構造と向かい合う部分を有する第一壁と、前記収納空間の入口となる開口が形成された第二壁と、前記収納空間と前記隣接空間との間にあり、折り曲げ線によって前記開口の縁部に接続された隔壁とを有し、
前記第一壁は、前記隣接空間から前記第一筒構造の外側へ貫通した貫通穴を有し、
前記第二筒構造を形成する壁から前記第二筒構造の外側へ延びた延長部が前記貫通穴を通って前記隣接空間に入っており、
前記隔壁が前記延長部に接触可能である緩衝材。
【請求項２】
前記隣接空間内の前記延長部の平面に対して前記隔壁の平面が垂直となる請求項１に記載の緩衝材。
【請求項３】
前記第一筒構造は、前記第二壁に向かい合う壁に形成された穴を有し、
前記隔壁の端部が前記穴に挿入されている請求項１または請求項２に記載の緩衝材。
【請求項４】
前記第一筒構造は、その内部に、前記第一方向において前記収納空間に隣り合う第二隣接空間を有し、
前記隣接空間と前記第二隣接空間との間に前記収納空間があり、
前記第一筒構造は、前記収納空間と前記第二隣接空間との間にあり、折り曲げ線によって前記開口の縁部に接続された第二隔壁を有し、
前記第一壁は、前記第二隣接空間から前記第一筒構造の外側へ貫通した第二貫通穴を有し、
前記第二筒構造を形成する壁から前記第二筒構造の外側へ延びた第二延長部が前記第二貫通穴を通って前記第二隣接空間に入っており、
前記第二延長部に前記第二隔壁が接触可能である請求項１から請求項３のいずれか一項に記載の緩衝材。
【請求項５】
前記第一筒構造は、前記第一方向に平行な折り曲げ線によって前記第一壁に接続された第三壁と、前記第一方向に平行な折り曲げ線によって前記第二壁に接続された第四壁とを有し、
前記収納空間は、前記第一壁と、前記第三壁と、前記第四壁と、前記隔壁と、前記第二隔壁とによって囲まれている請求項４に記載の緩衝材。
【請求項６】
前記外壁から前記貫通穴までの距離は、前記第二長さよりも長い請求項１から請求項５のいずれか一項に記載の緩衝材。
【請求項７】
前記第二筒構造は、前記第一壁と向かい合う第五壁と、前記第一方向に平行な折り曲げ線によって前記第五壁に接続され、前記外壁とは反対側の位置にある第六壁とを有し、
前記延長部は、前記第五壁と前記第六壁との間の角に接続されている請求項１から請求項６のいずれか一項に記載の緩衝材。
【請求項８】
請求項１から請求項７のいずれか一項に記載の緩衝材と、
前記物品及び前記緩衝材を覆う外装材と、
前記緩衝材の前記収納空間に収納された第二物品と、
を備える梱包体。
【発明の詳細な説明】
【技術分野】
【０００１】
本発明は、緩衝材及び梱包体に関する。
【背景技術】
【０００２】
下記特許文献１には、物品の周囲に配設されて、該物品に加わる衝撃を緩衝する緩衝部材が開示されている。
【先行技術文献】
【特許文献】
【０００３】
【特許文献１】日本実開平６−７６１３０号公報
【発明の概要】
【発明が解決しようとする課題】
【０００４】
包装される物品と共に用いられる例えば付属品のような第二物品が存在する場合がある。上述した従来の技術では、そのような第二物品を同梱することについては特に考慮されていない。【０００５】
本発明は、上述のような課題を解決するためになされたもので、包装される物品に対して第二物品を同梱する上で有利な緩衝材及び梱包体を提供することを目的とする。
【課題を解決するための手段】
【０００６】
本発明の緩衝材は、包装される物品への衝撃を緩和する緩衝材であって、外壁と、外壁に接続され、外壁に平行な第一方向を軸方向とする第一筒構造と、外壁に接続され、第一方向を軸方向とし、第一筒構造に隣り合う第二筒構造と、を備え、第一筒構造は、多角形の横断面形状を有し、第二筒構造は、多角形の横断面形状を有し、第一筒構造は、外壁から、外壁に垂直な第二方向へ、第一長さだけ突出し、第二筒構造は、外壁から、第一長さよりも短い第二長さだけ第二方向へ突出し、第一筒構造は、その内部に、収納空間と、第一方向において収納空間に隣り合う隣接空間とを有し、第一筒構造は、第二筒構造と向かい合う部分を有する第一壁と、収納空間の入口となる開口が形成された第二壁と、収納空間と隣接空間との間にあり、折り曲げ線によって開口の縁部に接続された隔壁とを有し、第一壁は、隣接空間から第一筒構造の外側へ貫通した貫通穴を有し、第二筒構造を形成する壁から第二筒構造の外側へ延びた延長部が貫通穴を通って隣接空間に入っており、隔壁が延長部に接触可能であるものである。
また、本発明の梱包体は、上記緩衝材と、物品及び緩衝材を覆う外装材と、緩衝材の収納空間に収納された第二物品と、を備えるものである。
【発明の効果】
【０００７】
本発明によれば、緩衝材に収納空間を設けたことで、包装される物品と共に第二物品を同梱する上で有利になる。
【図面の簡単な説明】
【０００８】
【図１】実施の形態１による緩衝材を備えた梱包体を示す分解斜視図である。
【図２】実施の形態１による緩衝材の展開図である。
【図３】実施の形態１による緩衝材の斜視図である。
【図４】実施の形態１による緩衝材の斜視図である。
【図５】実施の形態１による緩衝材の側面図である。
【図６】図５中のＶＩ−ＶＩ線で切断した断面図のうちの一部を拡大した図である。
【図７】実施の形態２による緩衝材の展開図である。
【図８】実施の形態３による緩衝材の展開図である。
【図９】実施の形態４による緩衝材の斜視図である。
【図１０】実施の形態４による緩衝材の展開図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１０】
実施の形態１．
図１は、実施の形態１による緩衝材を備えた梱包体を示す分解斜視図である。図１に示すように、梱包体１００は、実施の形態１による緩衝材１と、包装される物品１１０と、外装箱１２０と、ボトム内装材１３０と、付属品１４０とを備える。物品１１０は、例えば電気機器のような製品でもよいし、製品の一部を構成する部品でもよい。物品１１０の形状は、図示のような直方体でもよいし、直方体以外の形状でもよい。
【００１１】
緩衝材１、物品１１０、ボトム内装材１３０、及び付属品１４０は、外装箱１２０内に収納される。本実施の形態における外装箱１２０は、段ボール製の容器である。外装箱１２０は、緩衝材１及び物品１１０を覆う外装材の例である。変形例として、外装材は、例えば、木製容器、鋼製容器、プラスチック製容器などでもよい。
【００１２】
緩衝材１は、外装箱１２０の内壁と、物品１１０との間に配置される。緩衝材１は、外装箱１２０に収納された物品１１０への衝撃を緩和する機能を有する。緩衝材１は、物品１１０の外形のうちの角部を含む領域に配置されることに適する。図示の例では、緩衝材１は、物品１１０の側面と上面との間の角部を含む領域に配置されている。緩衝材１は、物品１１０の側面の一部と上面の一部とに接している。
【００１３】
図示の例では、物品１１０の四つの側面のすべてに緩衝材１が配置されている。すなわち、物品１１０に対して四つの緩衝材１が配置されている。このような構成に限らず、本実施の形態の梱包体１００は、緩衝材１を少なくとも一つ備えていればよい。例えば、物品１１０の四つの側面のうちの一つに緩衝材１が配置され、残りの三つの側面には他の緩衝材が配置されてもよい。
【００１４】
付属品１４０は、物品１１０に付属する物品である。付属品１４０は、物品１１０よりも小さい。付属品１４０は、第二物品に相当する。緩衝材１は、その内部に収納空間３１を有する。収納空間３１に付属品１４０が収納されている。図示の例では、四つの緩衝材１のうちの一つの緩衝材１の収納空間３１に付属品１４０が収納されている。他の緩衝材１の収納空間３１にも付属品１４０が収納されてもよい。
【００１５】
ボトム内装材１３０は、外装箱１２０内の底部に敷かれるマット状の部材である。ボトム内装材１３０は、物品１１０の底面に接する。ボトム内装材１３０は、物品１１０の底面への衝撃を緩和する。
【００１６】
次に、梱包体１００を組み立てる手順の例について、以下に説明する。緩衝材１を物品１１０に装着する。緩衝材１が装着された物品１１０をボトム内装材１３０の上に載せる。それらを外装箱１２０内に入れる。外装箱１２０が備える上フラップ１２１，１２２，１２３，１２４を順次折り曲げて、テープなどを用いて封かんする。梱包体１００が組み立てられた状態を以下「梱包状態」と称する。
【００１７】
本実施の形態であれば、緩衝材１の収納空間３１に付属品１４０を収納できる。付属品１４０は、緩衝材１の内部にあるので、衝撃から守られる。また、輸送中に付属品１４０が外装箱１２０内で他の位置へ移動することを確実に防止できるので、付属品１４０が傷つくことを確実に防止できる。このように、他の緩衝材を用いることなく、物品１１０に同梱された付属品１４０を確実に保護できる。なお、梱包状態では、上フラップ１２１，１２２，１２３，１２４が付属品１４０の上面を覆うことにより、付属品１４０の上面も確実に保護される。
【００１８】
図２は、実施の形態１による緩衝材１の展開図である。本実施の形態の緩衝材１は、図２に示す１枚のシートから作ることができる。このシートは、例えば、紙製段ボールシートでもよいし、樹脂製段ボールシートでもよい。図２に示すように、緩衝材１を展開したシートは、長方形の外形を有する。緩衝材１は、外壁２と、第一壁３３と、第二壁３４と、隔壁３５Ａと、隔壁３５Ｂと、第三壁３６と、第四壁３７と、第五壁４１と、第六壁４２と、第七壁４３と、第八壁４４と、延長部４５Ａと、延長部４５Ｂとを有する。これらの要素の各々は、平板状の形状を有する。延長部４５Ａ，４５Ｂの各々は、矩形の形状を有する。延長部４５Ａ，４５Ｂの各々は、当該矩形のうちの三辺に沿う切り込み線によりシートから部分的に分離されることによって形成されている。延長部４５Ａ，４５Ｂの各々は、当該矩形のうちの残りの一辺において第六壁４２につながっている。
【００１９】
第一壁３３には、貫通穴３３１Ａと、貫通穴３３１Ｂと、穴３３２Ａと、穴３３２Ｂとが形成されている。第二壁３４の一部が除去されることによって開口３４１が形成されている。図２の展開図において、隔壁３５Ａ及び隔壁３５Ｂは、第二壁３４から開口３４１の内部へ延びている。狭小部３３３Ａは、貫通穴３３１Ａと穴３３２Ａとの間に形成されている。狭小部３３３Ａは、穴３３２Ａを貫通穴３３１Ａから隔てている。狭小部３３３Ｂは、貫通穴３３１Ｂと穴３３２Ｂとの間に形成されている。狭小部３３３Ｂは、穴３３２Ｂを貫通穴３３１Ｂから隔てている。
【００２０】
隔壁３５Ａ、延長部４５Ａ、貫通穴３３１Ａ、及び穴３３２Ａの各々と、隔壁３５Ｂ、延長部４５Ｂ、貫通穴３３１Ｂ、及び穴３３２Ｂの各々とは、鏡像対称の関係にあり、互いに同様の構成を有する。このため、以下、これらの要素については、一方のみを説明して他方の説明を省略する場合がある。
【００２１】
図３及び図４は、実施の形態１による緩衝材１の斜視図である。これらの図に示すように、緩衝材１は、多角形の横断面形状を有する第一筒構造３と、多角形の横断面形状を有する第二筒構造４とを備える。第一筒構造３は、第一壁３３、第二壁３４、第三壁３６、及び第四壁３７により形成されている。第一壁３３、第二壁３４、第三壁３６、及び第四壁３７は、第一筒構造３の外形を角柱とみなしたときの側面に相当する。第二筒構造４は、第五壁４１、第六壁４２、第七壁４３、及び第八壁４４により形成されている。第五壁４１、第六壁４２、第七壁４３、及び第八壁４４は、第二筒構造４の外形を角柱とみなしたときの側面に相当する。
【００２２】
以下、第一筒構造３の軸方向をＸ方向と呼ぶ。Ｘ方向は、外壁２の平面に平行である。Ｘ方向は、第一方向に相当する。第二筒構造４の軸方向は、第一筒構造３の軸方向と同じ方向である。すなわち、第二筒構造４は、Ｘ方向を軸方向としている。便宜上、図３中で手前から奥に向かう方向を＋Ｘ方向とし、奥から手前に向かう方向を−Ｘ方向とする。第二筒構造４は、第一筒構造３に隣り合っている。
【００２３】
第一筒構造３は、例えば、長方形の横断面形状を有する。変形例として、第一筒構造３の横断面形状は、台形、三角形、五角形などでもよい。第二筒構造４は、例えば、長方形の横断面形状を有する。変形例として、第二筒構造４の横断面形状は、台形、三角形、五角形などでもよい。
【００２４】
以下、外壁２の平面に垂直な方向をＹ方向と呼ぶ。Ｙ方向は、Ｘ方向に対して垂直である。便宜上、図３中で右から左に向かう方向を＋Ｙ方向とし、左から右に向かう方向を−Ｙ方向とする。第一筒構造３は、外壁２から、＋Ｙ方向へ、第一長さＬ１だけ突出している。第二筒構造４は、外壁２から、＋Ｙ方向へ、第一長さＬ１よりも短い第二長さＬ２だけ突出している。第一長さＬ１は、外壁２の外面からの第一筒構造３の最大の突出長さに相当する。第二長さＬ２は、外壁２の外面からの第二筒構造４の最大の突出長さに相当する。本実施の形態において、第一筒構造３と第二筒構造４との間には、第一長さＬ１から第二長さＬ２を引いた長さに相当する高さの段差が形成されている。
【００２５】
Ｚ方向は、Ｘ方向及びＹ方向の双方に対して垂直な方向である。便宜上、図３中の上方向を＋Ｚ方向とし、下方向を−Ｚ方向とする。第一筒構造３は、第二筒構造４に対して＋Ｚ方向に位置する。
【００２６】
第一筒構造３は、外壁２に接続されている。図示の例では、Ｘ方向に平行な折り曲げ線５１によって第二壁３４が外壁２に接続されることで、第一筒構造３が外壁２に接続されている。第二壁３４は、外壁２に対して垂直に配置される。第一壁３３は、外壁２に対して垂直に配置される。すなわち、第一壁３３は、第二壁３４に対して平行に配置される。第一壁３３の一部は、第二筒構造４と向かい合う。図１の梱包状態の例においては、第一壁３３の他の一部は、物品１１０の上面に接する。
【００２７】
第三壁３６は、Ｘ方向に平行な折り曲げ線５２によって第一壁３３に接続されている。第三壁３６は、外壁２の内面側に重なっている。第三壁３６は、外壁２に対して平行に配置される。第四壁３７は、第一壁３３と第二壁３４との間にある。第四壁３７は、Ｘ方向に平行な折り曲げ線５３によって第二壁３４に接続され、かつ、Ｘ方向に平行な折り曲げ線５４によって第一壁３３に接続されている。第四壁３７は、外壁２に対して平行に配置される。物品１１０の形状によっては、梱包状態において第四壁３７の少なくとも一部が物品１１０に接してもよい。
【００２８】
本実施の形態では、第三壁３６を設けたことにより、第一筒構造３の形状を確実に保持する上でより有利になる。ただし、第三壁３６は、省略されてもよい。
【００２９】
第二筒構造４は、外壁２に接続されている。図示の例では、Ｘ方向に平行な折り曲げ線５５によって第八壁４４が外壁２に接続されることで、第二筒構造４が外壁２に接続されている。第五壁４１は、第一壁３３と向かい合う。第五壁４１は、外壁２に対して垂直に配置される。第五壁４１が第一壁３３に接触していてもよいし、第五壁４１と第一壁３３との間に多少の隙間があってもよい。
【００３０】
第六壁４２は、第五壁４１と、第八壁４４との間にある。第六壁４２は、Ｘ方向に平行な折り曲げ線５７によって第五壁４１に接続され、かつ、Ｘ方向に平行な折り曲げ線５６によって第八壁４４に接続されている。第六壁４２は、外壁２とは反対側の位置にある。第六壁４２は、外壁２に対して平行に配置される。図１の梱包状態の例においては、第六壁４２は、物品１１０の側面に接する。
【００３１】
第七壁４３は、Ｘ方向に平行な折り曲げ線５８によって第五壁４１に接続されている。第七壁４３は、外壁２の内面側に重なっている。第七壁４３は、外壁２に対して平行に配置される。本実施の形態では、第七壁４３を設けたことにより、第二筒構造４の形状を確実に保持する上でより有利になる。ただし、第七壁４３は、省略されてもよい。
【００３２】
第一筒構造３の内部に、収納空間３１と、隣接空間３２Ａと、隣接空間３２Ｂとが形成されている。図３に示すように、第二壁３４に形成された開口３４１は、収納空間３１の入口に相当する。開口３４１から収納空間３１に付属品１４０を入れたり出したりすることができる。本実施の形態において、開口３４１は、＋Ｚ方向に向いている。
【００３３】
隣接空間３２Ａ及び隣接空間３２Ｂは、Ｘ方向において収納空間３１に隣り合う。隣接空間３２Ａと隣接空間３２Ｂとの間に収納空間３１がある。隣接空間３２Ａ及び隣接空間３２Ｂは、第一壁３３、第二壁３４、第三壁３６、及び第四壁３７により囲まれている。本実施の形態における隣接空間３２Ｂは、第二隣接空間に相当する。
【００３４】
図３に示すように、隔壁３５Ａは、折り曲げ線６１によって開口３４１の縁部に接続されている。隔壁３５Ａは、収納空間３１と隣接空間３２Ａとの間にある。隔壁３５Ａを設けたことにより、収納空間３１に収納された付属品１４０の動きを抑えることができるので、付属品１４０の傷つきをより確実に防止できる。また、付属品１４０が隣接空間３２Ａへ移動してしまうことを確実に防止できる。
【００３５】
隔壁３５Ｂは、折り曲げ線６２によって開口３４１の縁部に接続されている。隔壁３５Ｂは、収納空間３１と隣接空間３２Ｂとの間にある。隔壁３５Ｂを設けたことにより、収納空間３１に収納された付属品１４０の動きを抑えることができるので、付属品１４０の傷つきをより確実に防止できる。また、付属品１４０が隣接空間３２Ｂへ移動してしまうことを確実に防止できる。
【００３６】
図示の例では、隔壁３５Ａ，３５Ｂの平面は、Ｘ方向に対して垂直である。変形例として、隔壁３５Ａ，３５Ｂの平面がＸ方向に対して傾斜していてもよい。図示の例では、折り曲げ線６１，６２は、Ｙ方向に対して平行である。変形例として、折り曲げ線６１，６２がＹ方向に対して傾斜していてもよい。
【００３７】
図４に示すように、貫通穴３３１Ａ及び貫通穴３３１Ｂの各々は、Ｘ方向を長手方向とする形状を有する。穴３３２Ａ及び穴３３２Ｂの各々は、Ｙ方向を長手方向とする形状を有する。
【００３８】
図５は、実施の形態１による緩衝材１の側面図である。図５は、Ｘ方向から見た図に相当する。図５に示すように、貫通穴３３１Ａは、隣接空間３２Ａから第一筒構造３の外側へ貫通している。延長部４５Ａは、第二筒構造４を形成する第六壁４２から第二筒構造４の外側へ延びている。延長部４５Ａは、＋Ｚ方向へ向かって突出している。延長部４５Ａの少なくとも一部は、貫通穴３３１Ａを通って隣接空間３２Ａに入っている。貫通穴３３１Ａと延長部４５Ａとの間の摩擦力により、延長部４５Ａが貫通穴３３１Ａから抜け出ることが防止される。その結果、第一筒構造３及び第二筒構造４の双方の形状を確実に維持することができる。
【００３９】
図６は、図５中のＶＩ−ＶＩ線で切断した断面図のうちの一部を拡大した図である。図６は、第六壁４２の表面に相当するＸＺ平面で切断した図に相当する。図６に示すように、隣接空間３２Ａ内に入った部分の延長部４５Ａは、隔壁３５Ａに隣接している。隔壁３５Ａは、延長部４５Ａに接触可能である。図示の例では、隔壁３５Ａに＋Ｘ方向の外力が作用していないときには、隔壁３５Ａと延長部４５Ａとの間に僅かな隙間２００があり、隔壁３５Ａは延長部４５Ａに接触していない。隔壁３５Ａに＋Ｘ方向の外力が作用すると、隔壁３５Ａが変形したり、隔壁３５Ａの位置がずれたりして、隔壁３５Ａが延長部４５Ａに接触する。
【００４０】
収納空間３１に収納された付属品１４０が、輸送中の振動、重力、慣性力などによって隔壁３５Ａに押し当てられることにより、隔壁３５Ａに＋Ｘ方向の外力が作用する可能性がある。その際、変形あるいは位置ずれした隔壁３５Ａが延長部４５Ａに接触すると、隔壁３５Ａは延長部４５Ａにより押し返される。このため、隔壁３５Ａがそれ以上変形したり位置ずれしたりすることが延長部４５Ａにより防止される。その結果、収納空間３１に収納された付属品１４０の動きを確実に抑えることができるので、付属品１４０が傷ついたり、付属品１４０が隣接空間３２Ａへ移動してしまったりすることを確実に防止できる。
【００４１】
なお、図示の構成に限らず、隔壁３５Ａに外力が作用してない状態でも隔壁３５Ａが延長部４５Ａに常に接触しているように構成してもよい。
【００４２】
本実施の形態において、Ｙ方向は、隔壁３５Ａの幅方向に相当する。図５に示すように、本実施の形態では、延長部４５Ａが隔壁３５Ａに接する位置は、隔壁３５Ａの幅方向の中央に近い位置となる。隔壁３５Ａの変形及び位置ずれをより確実に防止する観点からは、隔壁３５Ａの幅方向の中央になるべく近い位置に延長部４５Ａが接するような配置とすることが望ましい。ただし、延長部４５Ａが隔壁３５Ａに接する位置が、隔壁３５Ａの幅方向の中央からずれた位置であっても、隔壁３５Ａの変形及び位置ずれを十分に防止することが可能である。
【００４３】
本実施の形態において、隣接空間３２Ａ内にある延長部４５Ａの平面は、Ｙ方向に対して垂直である。その結果、隣接空間３２Ａ内にある延長部４５Ａの平面に対して隔壁３５Ａの平面が垂直となる。これにより、以下の効果が得られる。延長部４５Ａが隔壁３５Ａから圧力を受けたときに、延長部４５Ａが倒れるように変形することをより確実に防止できる。それゆえ、隔壁３５Ａの変形をより確実に防止できる。
【００４４】
図６に示すように、本実施の形態において、隔壁３５Ａの先端部は、第二壁３４に向かい合う第一壁３３に形成された穴３３２Ａに挿入されている。これにより、以下の効果が得られる。隔壁３５Ａに＋Ｘ方向の外力が作用したときに、隔壁３５Ａの変形及び位置ずれをより確実に防止できる。また、緩衝材１を組み立てたときに、隔壁３５Ａを適正な位置に容易に位置決めできる。これに対し、穴３３２Ａがないと仮定すると、緩衝材１を組み立てた後に、折り曲げ線６１で折り曲げた部分の弾性により、隔壁３５Ａが−Ｘ方向に回動して戻ってしまう可能性がある。
【００４５】
図示を省略するが、隔壁３５Ｂ、延長部４５Ｂ、貫通穴３３１Ｂ、及び穴３３２Ｂの構成も上記と同様である。本実施の形態における隔壁３５Ｂは、隔壁３５Ｂ、延長部４５Ｂ、及び貫通穴３３１Ｂは、それぞれ、第二隔壁、第二延長部、及び第二貫通穴に相当する。なお、本開示による緩衝材は、第二隔壁、第二延長部、及び第二貫通穴を備えないものでもよい。
【００４６】
図３に示すように、本実施の形態において、収納空間３１は、第一壁３３と、第三壁３６と、第四壁３７と、隔壁３５Ａと、隔壁３５Ｂとによって囲まれている。すなわち、収納空間３１は、六つ面のうち、開口３４１を除く五つ面の面を壁で囲まれている。これにより、付属品１４０を確実に保護する上でより有利になる。
【００４７】
図５に示すように、本実施の形態において、延長部４５Ａは、第五壁４１と第六壁４２との間の角に接続されている。すなわち、延長部４５Ａは、折り曲げ線５７により形成された角に接続されている。延長部４５Ａは、この角から第六壁４２の平面に平行な方向へ延びている。また、延長部４５Ａは、全体的に第一筒構造３の内部に位置する。すなわち、延長部４５Ａのほぼ全体が第一筒構造３の内部に位置する。本実施の形態であれば、第五壁４１と第六壁４２との間の角が第一筒構造３から離れることをより確実に防止できる。その結果、第二筒構造４の形状をより確実に保持することができる。
【００４８】
緩衝材１が段ボールシートから作られている場合には、第一壁３３、第二壁３４、第五壁４１、及び第八壁４４を形成する段ボールシートのフルートの溝及び凸条が延びる方向がＹ方向となるようにすることが望ましい。これにより、以下の効果が得られる。段ボールシートの平面に平行に作用する外力に対する段ボールシートの強度は、フルートの溝及び凸条が延びる方向の外力に対する強度の方が、それと直交する方向の外力に対する強度よりも高くなる。物品１１０から緩衝材１に力が作用した場合、第一壁３３、第二壁３４、第五壁４１、及び第八壁４４にＹ方向の圧力が作用する可能性がある。フルートの方向を上記のようにすることで、そのような圧力に対する強度をより高くすることができるので、第一筒構造３及び第二筒構造４の形状をより確実に保持することができる。
【００４９】
図１の例では、＋Ｚ方向が鉛直上方を向くように緩衝材１が配置されている。この場合、開口３４１が上面に位置するので、収納空間３１へ付属品１４０を入れたり出したりする操作がしやすい。
【００５０】
ただし、梱包状態における緩衝材１の向き及び物品１１０との位置関係は、図１の例に限定されない。例えば、＋Ｙ方向が鉛直上方を向くように緩衝材１を配置し、第一壁３３の一部が物品１１０の側面に接し、第六壁４２が物品１１０の底面に接するようにして緩衝材１を使用してもよい。
【００５１】
本実施の形態に対する変形例として、収納空間３１の入口となる開口３４１が＋Ｙ方向に向くように構成してもよい。例えば、本実施の形態における第四壁３７の位置に、第四壁３７に代えて第二壁３４を形成し、第二壁３４がＹ方向に垂直になるようにしてもよい。すなわち、第一壁３３に対して第二壁３４を垂直に配置してもよい。本変形例は、＋Ｙ方向が鉛直上方を向くように緩衝材１を配置することに適している。本変形例であれば、そのような配置のとき、＋Ｙ方向に向いた開口３４１が鉛直上方を向くので、収納空間３１へ付属品１４０を入れたり出したりする操作がしやすい。
【００５２】
実施の形態２．
次に、図７を参照して、実施の形態２について説明するが、上述した実施の形態１との相違点を中心に説明し、同一部分または相当部分については説明を簡略化または省略する。図７は、実施の形態２による緩衝材１Ａの展開図である。本実施の形態の緩衝材１Ａは、狭小部３３３Ａ，３３３Ｂを備えない点において実施の形態１と異なる。本実施の形態では、狭小部３３３Ａが形成されていないことにより、貫通穴３３１Ａと穴３３２Ａとがつながっている。貫通穴３３１Ａ及び穴３３２Ａは、全体としてＴ字状をなしている。同様に、狭小部３３３Ｂが形成されていないことにより、貫通穴３３１Ｂと穴３３２Ｂとがつながっている。貫通穴３３１Ｂ及び穴３３２Ｂは、全体としてＴ字状をなしている。本実施の形態のように、貫通穴３３１Ａと穴３３２Ａとがつながっていてもよく、貫通穴３３１Ｂと穴３３２Ｂとがつながっていてもよい。
【００５３】
実施の形態３．
次に、図８を参照して、実施の形態３について説明するが、上述した実施の形態１との相違点を中心に説明し、同一部分または相当部分については説明を簡略化または省略する。図８は、実施の形態３による緩衝材１Ｂの展開図である。本実施の形態において、隔壁３５Ａは、先端部３５１Ａを有する。先端部３５１Ａの幅は、先端部３５１Ａ以外の隔壁３５Ａの幅よりも狭くなっている。先端部３５１Ａは、隔壁３５Ａの幅方向における中央に配置されている。先端部３５１Ａが挿入する穴３３２Ａは、先端部３５１Ａの寸法に合わせて、実施の形態１よりも短い長さに形成されている。同様にして、隔壁３５Ｂは、先端部３５１Ｂを有する。先端部３５１Ｂの幅は、先端部３５１Ｂ以外の隔壁３５Ｂの幅よりも狭くなっている。先端部３５１Ｂは、隔壁３５Ｂの幅方向における中央に配置されている。先端部３５１Ｂが挿入する穴３３２Ｂは、先端部３５１Ｂの寸法に合わせて、実施の形態１よりも短い長さに形成されている。本実施の形態であれば、組み立てる際に、先端部３５１Ａ，３５１Ｂを穴３３２Ａ，３３２Ｂに挿入する操作を、より軽い力で行うことができる。
【００５４】
実施の形態４．
次に、図９及び図１０を参照して、実施の形態４について説明するが、上述した実施の形態１との相違点を中心に説明し、同一部分または相当部分については説明を簡略化または省略する。図９は、実施の形態４による緩衝材１Ｃの斜視図である。図１０は、実施の形態４による緩衝材１Ｃの展開図である。
【００５５】
図９に示すように、本実施の形態では、外壁２から貫通穴３３１Ａまでの距離Ｌ３は、第二長さＬ２よりも長い。距離Ｌ３は、例えば、外壁２の外面と、貫通穴３３１Ａの中心位置との間の、Ｙ方向に沿う距離である。
【００５６】
延長部４５Ａは、第一筒構造３の外部に位置する第一部分４５１と、第一筒構造３の内部に位置する第二部分４５２とを有する。第一部分４５１は、Ｘ方向に平行な折り曲げ線６３によって第六壁４２に接続されている。第一部分４５１は、第五壁４１と第六壁４２との間の角から＋Ｙ方向に向かって延びる。第一部分４５１は、第一壁３３の外面に重なる。第二部分４５２は、Ｘ方向に平行な折り曲げ線６４によって第一部分４５１に接続されている。第二部分４５２は、貫通穴３３１Ａを通って隣接空間３２Ａに入っている。第二部分４５２は、折り曲げ線６４の位置から＋Ｚ方向へ向かって突出している。
【００５７】
本実施の形態における第一長さＬ１は、実施の形態１よりも長い。この場合において、仮に、外壁２から貫通穴３３１Ａまでの距離が第二長さＬ２と同じであり、延長部４５Ａが第六壁４２の位置からそのまま＋Ｚ方向へ突出したとすると、延長部４５Ａが隔壁３５Ａに接する位置は、隔壁３５Ａの幅方向の中央から大きくずれた位置となる。対照的に、本実施の形態では、上記距離Ｌ３を第二長さＬ２よりも長くしたことにより、延長部４５Ａの第二部分４５２が隔壁３５Ａに接する位置を、隔壁３５Ａの幅方向の中央に近い位置にすることが可能となる。その結果、隔壁３５Ａの変形及び位置ずれを確実に防止する上でより有利になる。
【００５８】
なお、延長部４５Ｂは、上述した延長部４５Ａと同様の構成を有する。また、本実施の形態の緩衝材１Ｃは、図１０に示す１枚のシートから作ることができる。
【符号の説明】
【００５９】
１，１Ａ，１Ｂ，１Ｃ  緩衝材
２  外壁
３  第一筒構造
４  第二筒構造
３１  収納空間
３２Ａ，３２Ｂ  隣接空間
３３  第一壁
３４  第二壁
３５Ａ，３５Ｂ  隔壁
３６  第三壁
３７  第四壁
４１  第五壁
４２  第六壁
４３  第七壁
４４  第八壁
４５Ａ，４５Ｂ  延長部
５１,５２,５３，５４，５５，５６，５７，５８  折り曲げ線
６１，６２，６３，６４  折り曲げ線
１００  梱包体
１１０  物品
１２０  外装箱
１２１，１２２，１２３，１２４  上フラップ
１３０  ボトム内装材
１４０  付属品
２００  隙間
３３１Ａ，３３１Ｂ  貫通穴
３３２Ａ，３３２Ｂ  穴
３３３Ａ，３３３Ｂ  狭小部
３４１  開口
３５１Ａ，３５１Ｂ  先端部
４５１  第一部分
４５２  第二部分
【図１】
2020095391.tif 000003
【図２】
2020095391.tif 000004
【図３】
2020095391.tif 000005
【図４】
2020095391.tif 000006
【図５】
2020095391.tif 000007
【図６】
2020095391.tif 000008
【図７】
2020095391.tif 000009
【図８】
2020095391.tif 000010
【図９】
2020095391.tif 000011
【図１０】
2020095391.tif 000012
【国際調査報告】
2020095391.tif 000013
2020095391.tif 000014
2020095391.tif 000015
2020095391.tif 000016